(57)【要約】【課題】ターボファンエンジンのためのファン排気ノズルを提供すること。【解決手段】パイロン（２０）によるファン気流の妨害を補償するために、関連付けられたガスタービンエンジン動力装置（１５）の中心面（２９）に関し一方の側でのファン排気ノズルの流路断面積が、中心面（２９）に関して対向する側でのファン排気ノズルの対応する流路面積よりも大きい。【選択図】図３
2008057540.tif 000002
【特許請求の範囲】
【請求項１】
対応する長手方向中心線を有するコアエンジンを備えたガスタービンエンジン動力装置であって、前記コアエンジンが、このエンジンの動作中に気流を放出するファンを駆動し、かつナセルの内部に配置され、
前記ナセルが、前記ファンを囲むファンダクトと、前記ファンダクトの内部に配置され、前記コアエンジンを囲むコアカウルと、を備え、
前記ファンダクトおよび前記コアカウルの下流部分が、これらの間にファンノズルを画定し、前記ファンノズルが、前記エンジンの中心面に関して一方に配置された第１の部分と、前記エンジンの前記中心面に関して対向する側に配置された対向部分と、を有し、
前記ファンダクトの前記第１の部分が、前記ファンダクトの前記対向部分よりも大きな流路断面積を有することを特徴とするガスタービンエンジン動力装置。
【請求項２】
前記中心面が、静止時に水平方向に沿っていることを特徴とする請求項１に記載のガスタービンエンジン動力装置。
【請求項３】
パイロンに取り付けられ、かつ支持される前記ガスタービンエンジン動力装置であって、前記パイロンの一部分が、前記ファンダクトと前記コアカウルとの間に延在し、前記ファンダクトの流路面積を部分的に制限し、前記パイロンによって制限された流路面積の大きさが、前記ファンノズルの前記第１の部分と前記対向部分との面積の差に実質的に等しいことを特徴とする請求項１に記載のガスタービンエンジン動力装置。
【請求項４】
前記ファンダクトが、対応する長手方向中心線を有し、前記ファンダクトの下流部分での前記ファンダクトの長手方向中心線が、前記コアエンジンの長手方向中心線から、前記パイロンに向かってオフセットしていることを特徴とする請求項３に記載のガスタービンエンジン動力装置。
【請求項５】
前記コアカウルが、対応する長手方向中心線を有し、前記コアカウルの下流部分での前記コアカウルの長手方向中心線が、前記エンジンの長手方向中心線から、前記パイロンから離れる方向にオフセットしていることを特徴とする請求項３に記載のガスタービンエンジン動力装置。
【請求項６】
前記ファンダクトおよび前記コアカウルがそれぞれ、対応する長手方向中心線を有し、前記上側ファンノズル部分と前記下側ファンノズル部分との面積の前記差が、前記ファンダクトおよび前記コアカウルの下流部分での前記ファンダクト長手方向中心線およびコアカウル長手方向中心線の少なくとも一方が前記エンジンの長手方向中心線からオフセットしていることに生じることを特徴とする請求項３に記載のガスタービンエンジン動力装置。
【請求項７】
内部にガスタービンエンジンを収容するように構成されたナセルであって、
ファンダクトと、
前記ファンダクトの半径方向内側に配置されたコアエンジンカウルと、
を備え、
前記ファンダクトおよび前記コアエンジンカウルの下流部分が、それらの間にファンノズルを画定し、
前記エンジンの中心面に関し前記パイロンが配置される側に位置する前記ファンノズルの第１の部分が、前記中心面に関し前記パイロンが配置されるのとは逆側の対向する側に位置する前記ファンノズルの第２の部分よりも大きな流路面積を有することを特徴とするナセル。
【請求項８】
前記中心面が、静止時に水平方向に沿っていることを特徴とする請求項７に記載のナセル。
【請求項９】
前記ガスタービンエンジンが、対応する長手方向中心軸を有し、前記パイロンが、前記ファンダクトと前記コアエンジンカウルとの間に一部延在し、前記ファン排気ノズルの前記第１の部分と前記第２の部分との間における断面積の差が、前記ファンダクトと前記コアエンジンカウルとの間に延在し、かつ前記ファンから放出される空気の流れに対して垂直な前記パイロン部分の面積に実質的に等しいことを特徴とする請求項７に記載のナセル。
【請求項１０】
前記ファンダクトが、このファンダクトを通る長手方向中心軸を有し、このファンダクト長手方向軸が、前記エンジン中心面から前記パイロンに向けて少なくとも一部でオフセットしていることを特徴とする請求項９に記載のナセル。
【請求項１１】
前記コアエンジンカウルが、このコアエンジンカウルを通る長手方向中心軸を有し、このコアエンジンカウル長手方向軸が、前記パイロンおよび前記エンジン中心面から離れるように少なくとも一部でオフセットしていることを特徴とする請求項９に記載のナセル。
【請求項１２】
前記ファンダクトおよび前記コアカウルがそれぞれ、それらを通る長手方向中心軸を有し、前記ファンダクトおよび前記コアカウルの下流部分での前記ファンダクトの長手方向中心軸および前記コアカウルの長手方向中心軸の少なくとも一方が、前記エンジン中心面から離れるようにオフセットしていることを特徴とする請求項９に記載のナセル。
【請求項１３】
前記ファンダクト長手方向中心軸の前記下流部分が、前記エンジンの前記中心面から、前記パイロンに向かう方向にオフセットしていることを特徴とする請求項１２に記載のナセル。
【請求項１４】
前記コアカウル長手方向中心軸の前記下流部分が、前記エンジンの前記中心面から、前記パイロンから遠ざかる方向にオフセットしていることを特徴とする請求項１２に記載のナセル。
【請求項１５】
前記ファンダクトの長手方向中心軸の前記下流部分が、前記エンジンの中心面から、前記パイロンに向かう方向にオフセットしており、前記コアカウルの長手方向中心軸の前記下流部分が、前記エンジンの中心面から、前記パイロンから遠ざかる方向にオフセットしていることを特徴とする請求項１２に記載のナセル。
【請求項１６】
前記ファンダクトの断面が、その下流端で、略円形であることを特徴とする請求項７に記載のナセル。
【請求項１７】
前記コアカウルの断面が、その下流端で、略円形であることを特徴とする請求項７に記載のナセル。
【発明の詳細な説明】
【技術分野】
【０００１】
本発明は、一般に、航空機ガスタービンエンジンに関し、詳細には、ターボファンガスタービンエンジンに関する。
【背景技術】
【０００２】
ターボファンガスタービン航空機エンジンの動作は、よく知られている。そのようなエンジンは、ファン、圧縮機、燃焼器、およびタービン（「コアエンジン」を構成する圧縮機、燃焼器、およびタービン）の直列構成を含む。エンジンの入口に通された空気は、エンジンの圧縮機によって圧縮される。次いで、圧縮された空気は、エンジンの燃焼器内で燃料と混合されて燃焼される。次いで、燃焼された空気燃料混合物の高エネルギー燃焼生成物がタービンに入り、そのタービンが、混合物からエネルギーを抽出して、圧縮機およびファンを駆動させる。圧縮機およびファンを駆動するのに必要なエネルギーを超える、タービンによって抽出されたエネルギーが、エンジンのコアエンジン排気ノズルにおいてエンジンから出て、航空機に動力を与えるスラストを発生させる。それよりもはるかに大きな量のスラストが、ファンによって発生し、ファンは、周囲空気を取り入れ、その空気を加速し、ファン排気ノズルを通して放出する。ファンによって加速された空気の体積流量の、コア排気ノズルから放出された燃焼生成物の体積流量に対する比は、５〜１０：１となることがあり、またはさらに高いこともある。
【０００３】
航空機ガスタービンエンジンが進歩するにつれて、容量が絶えず増大する大型の商用輸送航空機に動力を与えるためにより一層大量のスラストを発生すること、およびそのような商用輸送航空機の絶えず増大する航続距離要件に対処するためにできるだけ少ない燃料で動作すること、を必要とされている。ジェット燃料のコストの最近の急激な上昇は、現代の商用ガスタービン航空機エンジンの燃料消費量を最小限にするという要件をより重要なものとしている。
【０００４】
そのような航空機ガスタービンエンジンの効率的な動作のために、すなわち所与の量のスラストを発生するのに必要とされる燃料の量を最小限にするために、タービンおよびファンの両方の流れ出力が、速度および方向の両方に関して正確に制御されることが必要である。そのような流れの速度を制御することは、一般に、通常のエンジン動作条件について一定面積のノズルを最適な大きさにするか、またはある範囲の動作条件にわたる最適な流れのために面積を調節することができる可変面積排気ノズルを採用することにより、コアエンジンおよびファン排気ノズルの流路断面積をそれぞれ制御することによって実現される。排気ノズルそれ自体の幾何学的形状が、そこを通る流れの方向を制御する。
【０００５】
ファンおよびコアエンジン排気ノズルはどちらも、エンジンのナセルの構成要素によって機能的に画定される。ナセルはコアカウルを含み、コアカウルは、コアエンジンのための空気力学的に効率的なカバーを提供し、コアエンジンの周りに延在し、その下流端でエンジンの排気ノズルで終端する。また、ナセルは外側ファンカウルを含み、外側ファンカウルは、コアカウルを囲み、ファンのブレードを囲んで、コアカウルと共に環状ファンダクトを画定し、環状ファンダクトは、ファン排気ノズルで終端する。これまで、コアカウルおよびファンカウルが互いに同心状にされていた。すなわち、両方のそのような構成要素が、共通の長手方向中心軸を共有し、それにより、ファン入口からファン排気ノズルへ向かうファンダクトは、ほとんどの部分で完全に管状であった。
【０００６】
エンジンおよびナセルは、典型的には、パイロンによって商用輸送航空機の翼の下側に取り付けられ、パイロンは、一般に航空機の翼の構造部材からナセルファンカウルおよびコアカウルを通ってエンジンのケースに延在する支持ビームを含む。典型的には、このビームは、ビームの周りの流れを空気力学的に滑らかにするために、フェアリングによって覆われる。したがって、パイロンは、必然的に、ファンカウルとコアエンジンカウルとの間のファンダクトを通って延在しなければならないことを理解されたい。取付ビームの上のフェアリングは、パイロンによって引き起こされる、ファンダクトを通る気流に対する外乱をいくらか低減し、ファンダクト内のパイロンの存在の悪影響は、パイロンによって引き起こされる、環状ファンダクトを通る流れに対する抵抗に限定されていると常に思われていた。
【発明の開示】
【発明が解決しようとする課題】
【０００７】
本発明は、ファンダクト内のパイロンによってもたらされる障害が、ファンダクト流れを必然的に制限し、それによりファンダクトを通る流量を減少するだけでなく、パイロンから遠ざかるように、ファンダクトを通る流れに関連するスラストの方向のずれも引き起こすことを発見したことに基づいている。すなわち、本出願人は、パイロンによって占められるダクト部分においてパイロンによってもたらされるファンダクトを通る流れに対する障害により、ファンダクトの直径方向において対向する部分が、そこを通る、より大きな流れを受けることを見出した。ファンダクトの２つの対向する部分の間におけるファン流れのこのような不均衡により、ファンによって生成される実質的なスラストの方向が、エンジンの長手方向の中心軸に平行な方向からずれる。ガスタービンエンジンの最適（最小）燃料消費量は、一般に、エンジンの長手方向中心線に平行な方向でエンジンによって発生されるスラストの方向を維持することによって実現されるので、エンジンの実質的なスラスト出力のベクトル方向のずれは、必然的に燃料消費量を損なう（増加させる）ことになる。
【課題を解決するための手段】
【０００８】
ファンダクト内のパイロンの存在によってもたらされる障害によって引き起こされるファンダクトを通るファン流れのこの不均衡に対処するために、本発明によれば、エンジンの中心面に関して一方の側であって、パイロンが延在する方のファンダクト部分を、中心面に関し対向するファンダクト部分よりも大きくすることにより、ファン気流に対するパイロンによって生じる制限を補償する。好ましい実施形態では、ファンダクトの下流部分での（すなわちファン排気ノズルでの）２つのファンダクト断面の間における面積差は、ファンダクトを通る流れに対するパイロンの断面積に等しい。このような面積差を考慮することによって、パイロンによって引き起こされる制限にもかかわらず最適な（最小の）燃料消費量を達成するために、エンジンによって発生される実質的なスラストの方向のずれを実質的になくす。
【０００９】
パイロンが通って延在するファンダクト部分でのファン排気ノズル面積の増大は、いくつかの方法で実現できる。例えば、ファンカウルの長手方向中心軸が、カウルの下流部分でエンジンの長手方向中心軸からパイロンに向かってオフセットされる。あるいは、エンジンのコアカウルの長手方向中心線が、エンジンの中心線に対して、パイロンから遠ざかるようにずらされてもよく、または、クリアランスが許す場合およびファンダクトを通る流路面積に対してパイロンが大きな障害をもたらす場合には、ファンカウルがパイロンに向かってずらされ、かつコアカウルがパイロンから遠ざかるようにずらされてもよい。
【００１０】
ファンダクトのファン排気ノズルでのファンダクト流路面積の非対称分布が、総燃料消費率について概算で最大０．５％の改良をもたらすと推定され、これは、現代の商用航空機の年間で数十万ガロンの燃料消費量という状況で考えた場合、このようなエンジンに対応した運転コストにおいて大幅な改善となる。
【発明を実施するための最良の形態】
【００１１】
図１および図２を参照すると、商用ガスタービンエンジン駆動式航空機が、パイロン２０によって翼の下側に取り付けられた１つまたは複数のガスタービンエンジン動力装置１５を有する翼１０を含む。図３で最も良く分かるように、ガスタービンエンジン動力装置１５は、エンジンの（通常の動作条件下で）水平な中心面２９内にある長手方向中心線２７によって特徴付けられるガスタービンエンジン２５を備える。当技術分野でよく知られている様式で、ガスタービンエンジン２５は、圧縮機４０（図示せず）、燃焼器４５（図示せず）、およびタービン５０（やはり図示せず）を封入するケース３５を含み、それらの詳細は当技術分野でよく知られている。やはり当技術分野でよく知られているように、入口５５を通って圧縮機４０に入る空気は、圧縮機内で圧縮され、燃焼器に入り、そこでジェット燃料と混合されて燃焼され、燃焼生成物（作動流体）がタービン５０内に流れ、タービン５０が、燃焼生成物からエネルギーを抽出して、圧縮機を駆動し、航空機に動力を与えるスラストを提供する。また、タービンは、固定されたピッチまたは調節可能なピッチのブレード６５を備えるファン６０も駆動する。ブレード６５は、回転すると、周囲空気を取り入れ、空気を加速して、エンジンによって発生される有用なスラストの大部分を提供する。典型的には、ファンの直径がコアエンジンの直径に比べてはるかに大きいことにより、現代のターボファンエンジンでは、ファンを通る体積流量が、コアエンジンを通る体積流量の５〜１０倍になることがあり、いくつかの場合にはさらに高くなることがある。
【００１２】
制御された空気の流れを維持する目的で、動力装置の外側の周囲、およびコアエンジン全体にわたって、エンジンおよびファンは、ナセル７０によって囲まれ、ナセル７０は、コアエンジンを囲むコアエンジンカウル７５と、コアカウルの外部の周りに配置され、コアカウルと共に概して環状のファンダクト８５を画定するファンカウル８０と、を備え、ファンダクト８５は、ファン６５によって加速された周囲空気の流れを受け入れ、ファンダクトの下流端にあるファン排気ノズル８６で終端する。タービンから排気される作動流体の流れを滑らかにするために、テールコーン８７をタービン排気ノズルに設けてもよい。
【００１３】
当技術分野でよく知られている様式で、エンジン２５およびナセル７０は、パイロン２０によって航空機５の翼１０に固定される。パイロン２０は、その一端で、航空機（図示せず）の翼桁（ｗｉｎｇ  ｓｐａｒ）または他の適切な構造的な構成要素に固定され、その他端で、エンジンおよびナセルに固定される。パイロンは、構造ビーム９０を備え、構造ビーム９０は、エンジンおよびナセルを支持し、エンジンおよびナセルの重量および動作（空気力学的）負荷を航空機の翼に伝達し、さらにパイロンは、フェアリング９５を備え、フェアリング９５は、滑らかな空気力学的輪郭をパイロンに与え、動力装置が航空機と共に空気を通って移動するときに、パイロンの周りでのファン気流に関連する空気力学的損失を低減する。
【００１４】
ファンダクト８５を通るファン気流のかなりの量が、ファンダクトの上部でパイロン９５によって妨害されることが容易に明らかになろう。エンジンおよびパイロンが周囲空気を通って移動するときに、ファンダクトの上部でのパイロンによるファン空気の妨害が、かなりの量の抗力を生じることが長い間認識されてきた。しかし、本発明によれば、従来技術のガスタービンエンジン動力装置内のファンダクトを通るファン気流に課される流れ制限により、ファンダクトの（パイロンから離れた）下部を通る空気の体積流量が、ファンダクトの上部よりも高くなることも判明した。すなわち、パイロンに関連するファンダクトでの流れ妨害は、ファンダクトの上部からファンダクトの下部に向かうファン気流の実質的な移行をもたらす。本明細書で上述したように、最大効率のために、ファンおよびコアエンジンの両方によって発生されるスラストが、エンジンの中心線に平行に向けられるべきである。ファンダクトの下部を通るより大きな流れが、エンジンによって発生される実質的なスラストの方向を軸方向からずらし、それによりエンジンの効率を低下させ、エンジンの燃料消費量は、ファンダクト全体にわたって均一なファン気流によって実現し得る燃料消費量よりも増加してしまう。
【００１５】
本発明によれば、ファンダクトの上部でのパイロンの流れ制限を補償するために、ファン排気ノズルの（パイロンに向かう）上部、すなわちエンジンの水平中心面よりも上の部分でのファン排気ノズルの流路断面積が、（パイロンから離れた）エンジンの中心面の下のファン排気ノズルの面積よりも増大される。ファン排気ノズルの上部のこの増大は、パイロンに関連する妨害に応じてファン流れがノズルの下部に向かって移行する傾向を緩和し、それにより、従来であればエンジンによって生じる実質的なスラストの鉛直方向のずれを補正する。
【００１６】
ファン排気ノズルの上部の領域は、いくつかの異なる方法で増大することができる。例えば、ファンカウルの下流部分が、コアエンジンと同心円状の位置から（パイロンに向かって）鉛直上方向にオフセットすることができる。すなわち、ファンカウルの長手方向中心線の下流部分が、図３の参照番号１００で示されるように、コアエンジンの中心線から（パイロンに向かって）鉛直上方向にオフセットすることができる。また、ファン排気ノズルの上部での流路面積の増大は、コアカウル７５の長手方向軸１１０がエンジンの長手方向中心線から下方向にオフセットされるようにコアカウル７５を（パイロンから遠ざかるように）下方向にオフセットすることによって得ることができる。本発明でテールコーンが使用される場合、コアエンジンによって発生するスラストの方向が鉛直方向にずれないように、コアカウルの最下流端はコアエンジンおよびテールコーンに対して対称に製造されるべきである。
【００１７】
ファン排気ノズルの２つの部分の断面積の差、およびファンダクトの上部での面積を増大させるためのファンカウルおよびコアカウルの鉛直方向への変位の大きさは、当然、エンジンのスラスト定格およびバイパス比と、パイロンの寸法と、コアエンジンおよびファンの寸法ならびに動作パラメータと、に依存する。一般に、エンジンが大きければ大きいほど、ファンダクトの上部を通るファン流れを部分的に妨害するパイロンの面積が大きくなり、それにより、より小さなエンジンで必要とされるよりも大きなファンダクト面積増大を必要とする。好ましい実施形態では、ファンダクトの上部における流路面積を増大させることは、コアエンジンの中心線からパイロンに向けてファンダクトをオフセットすること、およびエンジンの中心線に関してパイロンから遠ざかるようにコアカウルをオフセットすること、によってなされるが、エンジンナセル、およびパイロンの相対的な構成によっては、エンジンの中心線からこれらの構成要素の一方のみをオフセットさせることによってファン排気ノズル面積の必要な増大を得ることが可能である場合もあることを理解されたい。
【００１８】
ファンダクトおよびコアカウルは、それらの周りでの空気力学的な負荷の均等化のために通常そうであるように断面で概して円形のものとして図示してきたが、他の考慮事項のために、これらの構成要素の断面形状が円形とは異なることもあることを理解されたい。また、例示の（好ましい）実施形態では、パイロンが、航空機の翼の下の位置からエンジンを支持しているが、本発明は、航空機に対する動力装置の他の構成と共に採用されてもよい。例えば、本発明は、動力装置が航空機の翼の上、または胴体の側部に取り付けられた航空機で使用されてもよい。
【図面の簡単な説明】
【００１９】
【図１】本発明のファン排気ノズルを採用するタイプのガスタービンエンジンによって動力を得る商用輸送航空機の部分正面図である。
【図２】図１の線２−２の方向で取られた断面図である。
【図３】本発明の詳細を示すために動力装置のナセルの一部分が切断されて、切り離された状態での、図２の動力装置の拡大図である。
【図４】図３に示されるガスタービンエンジン動力装置の後面図である。
【図１】
2008057540.tif 000003
【図２】
2008057540.tif 000004
【図３】
2008057540.tif 000005
【図４】
2008057540.tif 000006